(57)【要約】【課題】画像記録ヘッド内のノズルの使用頻度が偏ってしまうことを防止するようにした画像処理装置を提供する。【解決手段】画像処理装置の画像受付手段は、画像を受け付け、スクリーンマスク記憶手段は、スクリーンマスクを記憶し、シフト手段は、前記スクリーンマスク記憶手段からスクリーンマスクを読み出して、該スクリーンマスクを主走査方向又は副走査方向に、予め定められた画素数分シフトさせ、マスク適用手段は、前記画像受付手段によって受け付けられた画像に対して、前記シフト手段によってシフトされたスクリーンマスクを適用させ、出力手段は、前記マスク適用手段によってスクリーンマスクを適用させた画像を、固定された画像記録ヘッドを用いて、搬送される記録媒体に出力する。【選択図】図１
2014093702.tif 000002
【特許請求の範囲】
【請求項１】
画像を受け付ける画像受付手段と、
スクリーンマスクを記憶するスクリーンマスク記憶手段と、
前記スクリーンマスク記憶手段からスクリーンマスクを読み出して、該スクリーンマスクを主走査方向又は副走査方向に、予め定められた画素数分シフトさせるシフト手段と、
前記画像受付手段によって受け付けられた画像に対して、前記シフト手段によってシフトされたスクリーンマスクを適用させるマスク適用手段と、
前記マスク適用手段によってスクリーンマスクを適用させた画像を、固定された画像記録ヘッドを用いて、搬送される記録媒体に出力する出力手段
を具備することを特徴とする画像処理装置。
【請求項２】
前記シフト手段は、１以上の画像出力命令毎にシフト処理を行う
ことを特徴とする請求項１に記載の画像処理装置。
【請求項３】
前記シフト手段は、１枚以上の記録媒体毎にシフト処理を行う
ことを特徴とする請求項１に記載の画像処理装置。
【請求項４】
前記シフト手段は、画像出力命令における画像枚数が予め定められた枚数と比較した結果に基づいて、シフト処理を行う
ことを特徴とする請求項２に記載の画像処理装置。
【請求項５】
前記シフト手段は、前回の出力における前記画像記録ヘッド内のノズル毎の使用回数に基づいてシフト量を定める
ことを特徴とする請求項１から４のいずれか一項に記載の画像処理装置。
【請求項６】
コンピュータを、
画像を受け付ける画像受付手段と、
スクリーンマスクを記憶するスクリーンマスク記憶手段と、
前記スクリーンマスク記憶手段からスクリーンマスクを読み出して、該スクリーンマスクを主走査方向又は副走査方向に、予め定められた画素数分シフトさせるシフト手段と、
前記画像受付手段によって受け付けられた画像に対して、前記シフト手段によってシフトされたスクリーンマスクを適用させるマスク適用手段と、
前記マスク適用手段によってスクリーンマスクを適用させた画像を、固定された画像記録ヘッドを用いて、搬送される記録媒体に出力する出力手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、ラインプリンタでは一般的にヘッドの保持手段は固定式でありヘッド自体を移動させることができず特定のノズルのみが連続で使用される際に印刷媒体の移動速度を低下させるあるいは印刷媒体移動方向の印刷密度を低下させたとしても特定ノズルのみが繰り返し使用されることにより寿命の観点から特定ノズルの寿命が他のノズルよりも早く来てしまい実際のプリンタ装置の寿命を著しく低下させてしまい、それを防ぐために使用されるノズルが分散するように予め画像データを記録幅方向にシフトしていたが、用紙上の画像位置がずれてしまうことを課題とし、画像をシフトすると同時に、シフト量に応じて記録ヘッドを搭載したキャリッジ自体を記録幅方向に移動して用紙上の画像位置がずれないようにしたことが開示されている。
【先行技術文献】
【特許文献】
【０００３】
【特許文献１】特開２００９−１２５９８０号公報
【発明の概要】
【発明が解決しようとする課題】
【０００４】
本発明は、画像記録ヘッド内のノズルの使用頻度が偏ってしまうことを防止するようにした画像処理装置及び画像処理プログラムを提供することを目的としている。
【課題を解決するための手段】
【０００５】
かかる目的を達成するための本発明の要旨とするところは、次の各項の発明に存する。
請求項１の発明は、画像を受け付ける画像受付手段と、スクリーンマスクを記憶するスクリーンマスク記憶手段と、前記スクリーンマスク記憶手段からスクリーンマスクを読み出して、該スクリーンマスクを主走査方向又は副走査方向に、予め定められた画素数分シフトさせるシフト手段と、前記画像受付手段によって受け付けられた画像に対して、前記シフト手段によってシフトされたスクリーンマスクを適用させるマスク適用手段と、前記マスク適用手段によってスクリーンマスクを適用させた画像を、固定された画像記録ヘッドを用いて、搬送される記録媒体に出力する出力手段を具備することを特徴とする画像処理装置である。
【０００６】
請求項２の発明は、前記シフト手段は、１以上の画像出力命令毎にシフト処理を行うことを特徴とする請求項１に記載の画像処理装置である。
【０００７】
請求項３の発明は、前記シフト手段は、１枚以上の記録媒体毎にシフト処理を行うことを特徴とする請求項１に記載の画像処理装置である。
【０００８】
請求項４の発明は、前記シフト手段は、画像出力命令における画像枚数が予め定められた枚数と比較した結果に基づいて、シフト処理を行うことを特徴とする請求項２に記載の画像処理装置である。
【０００９】
請求項５の発明は、前記シフト手段は、前回の出力における前記画像記録ヘッド内のノズル毎の使用回数に基づいてシフト量を定めることを特徴とする請求項１から４のいずれか一項に記載の画像処理装置である。
【００１０】
請求項６の発明は、コンピュータを、画像を受け付ける画像受付手段と、スクリーンマスクを記憶するスクリーンマスク記憶手段と、前記スクリーンマスク記憶手段からスクリーンマスクを読み出して、該スクリーンマスクを主走査方向又は副走査方向に、予め定められた画素数分シフトさせるシフト手段と、前記画像受付手段によって受け付けられた画像に対して、前記シフト手段によってシフトされたスクリーンマスクを適用させるマスク適用手段と、前記マスク適用手段によってスクリーンマスクを適用させた画像を、固定された画像記録ヘッドを用いて、搬送される記録媒体に出力する出力手段として機能させるための画像処理プログラムである。
【発明の効果】
【００１１】
請求項１の画像処理装置によれば、画像記録ヘッド内のノズルの使用頻度が偏ってしまうことを防止することができる。
【００１２】
請求項２の画像処理装置によれば、１以上の画像出力命令毎にシフト処理を行うことができる。
【００１３】
請求項３の画像処理装置によれば、１枚以上の記録媒体毎にシフト処理を行うことができる。
【００１４】
請求項４の画像処理装置によれば、画像出力命令における画像枚数が予め定められた枚数と比較した結果に基づいて、シフト処理を行うことができる。
【００１５】
請求項５の画像処理装置によれば、前回の出力における画像記録ヘッド内のノズル毎の使用回数に基づいてシフト量を定めることができる。
【００１６】
請求項６の画像処理プログラムによれば、画像記録ヘッド内のノズルの使用頻度が偏ってしまうことを防止することができる。
【図面の簡単な説明】
【００１７】
【図１】本実施の形態の構成例についての概念的なモジュール構成図である。
【図２】本実施の形態による用紙の搬送処理例を示す説明図である。
【図３】本実施の形態が利用するノズルの並びの例を示す説明図である。
【図４】本実施の形態が利用する基本のスクリーンマスク例を示す説明図である。
【図５】本実施の形態による処理例を示す説明図である。
【図６】本実施の形態による処理例を示す説明図である。
【図７】本実施の形態による処理例を示すフローチャートである。
【図８】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である画像処理装置は、画像を出力するものであって、図１の例に示すように、画像受付モジュール１１０、スクリーンマスク記憶モジュール１２０、シフト処理モジュール１３０、マスク適用処理モジュール１４０、画像出力モジュール１５０を有している。
ここでの画像処理装置とは、記録ヘッドからインク滴を吐出させて画像を記録する装置であって、いわゆるインクジェットプリンタと呼ばれているものである。特に、画像記録ヘッドが固定されたラインプリンタ、連帳機等に関するものである。固定された画像記録ヘッドとは、図２の例に示すように、印刷媒体である用紙２００の幅（搬送方向２２０と直交する方向の長さ）以上に画像記録ヘッド２１０の長さがあり、用紙２００に画像を出力するのに、その画像記録ヘッド２１０が主走査方向（搬送方向２２０と直交する方向）に移動することが不要であることをいう。
したがって、画像記録ヘッド自体を移動させることができず、特定のノズルのみが連続で使用されることが起こりえる。つまり、本実施の形態以外の画像記録ヘッドが固定されたインクジェットプリンタでは、特定のノズルのみが繰り返し使用されることにより、寿命の観点からその特定のノズルの寿命が他のノズルよりも早く来てしまうことが起こりえる。
図３は、本実施の形態が利用するノズルの並びの例を示す説明図である。画像記録ヘッド内は、複数のノズルによって構成されている。図３の例に示すように、ノズル並び３００は、主走査方向３９０に複数のノズルが配置されている。したがって、縦方向（搬送方向２２０）に画像が連続している場合は、その位置にあるノズルが他の位置にあるノイズと比較して頻繁に使われることになる。
【００２０】
画像受付モジュール１１０は、シフト処理モジュール１３０、マスク適用処理モジュール１４０と接続されている。画像受付モジュール１１０は、画像を受け付けて、その画像をマスク適用処理モジュール１４０へ渡し、受け付けたことをシフト処理モジュール１３０に通知する。画像を受け付けるとは、例えば、スキャナ、カメラ等で画像を読み込むこと、ファックス等で通信回線を介して外部機器から画像を受信すること、ハードディスク（コンピュータに内蔵されているものの他に、ネットワークを介して接続されているもの等を含む）等に記憶されている画像を読み出すこと等が含まれる。画像は、スクリーン処理の対象となる画像であればよく、多値画像（カラー画像を含む）である。受け付ける画像は、１枚であってもよいし、複数枚であってもよい。また、画像の内容として、ビジネスに用いられる文書、広告宣伝用のパンフレット等であってもよい。
【００２１】
スクリーンマスク記憶モジュール１２０は、シフト処理モジュール１３０と接続されている。スクリーンマスク記憶モジュール１２０は、基本のスクリーンマスクを記憶する記憶装置であって、メモリ、ハードディスク等が該当する。記憶している基本のスクリーンマスクをシフト処理モジュール１３０に渡す。
図４は、本実施の形態が利用する基本の例を示す説明図である。スクリーンマスクとしては、図４（ａ）の例に示すようなスクリーンマスク４００がある。例えば、濃度１２７の画素に対してこのスクリーンマスクを適用した場合（スクリーン処理した場合）、図４（ｂ）の例に示すようなマスク処理後の画像４１０となる。つまり、スクリーンマスク４００内の各閾値と画素の濃度を比較し、濃度が閾値以上であれば、その位置の画素を点灯（印刷）する。図４（ｂ）の例では、黒背景となっている位置の画素を点灯する。したがって、スクリーンマスク内の閾値の小さい画素が点灯しやすいという性質がある。また、本実施の形態以外の画像処理装置、すなわちスクリーンマスクとノズルとの位置関係が固定していると、点灯する画素と点灯しない画素は、そのまま出力されるノズルと出力が行われないノズルという関係になる。具体的には、図４（ｂ）のマスク処理後の画像４１０を、図４（ｃ）の例のノズル並び３００で出力させた場合、マスク処理後の画像４１０内の縦方向の点灯数、つまりノズル並び３００の各ノズルにおける出力数をカウントすると、図４（ｃ）の例のような出力数になる。ノズル３０２、ノズル３０８では２０回の出力機会中１４回、１５回の出力であり、ノズル３０４では２０回の出力機会中６回の出力である。このように、出力回数が多いノズルと少ないノズルに分かれることとなる。
さらに、同じ画像を大量に出力する場合は、スクリーンマスク内における点灯する画素と点灯しない画素との２極化しやすい傾向がある。すなわち、出力回数が多いノズルと少ないノズルに２極化しやすいこととなる。
【００２２】
シフト処理モジュール１３０は、画像受付モジュール１１０、スクリーンマスク記憶モジュール１２０、マスク適用処理モジュール１４０と接続されている。シフト処理モジュール１３０は、スクリーンマスク記憶モジュール１２０からスクリーンマスクを読み出して、そのスクリーンマスクを主走査方向又は副走査方向に、予め定められた画素数分シフトさせる。つまり、シフト処理モジュール１３０によって、スクリーンマスクとノズルとの位置関係が固定化することを防止するものである。シフトさせる方向は、主走査方向、副走査方向のいずれか一方であってもよいし、主走査方向と副走査方向の両方（つまり斜め方向）であってもよい。
【００２３】
シフトさせるタイミングについては、以下のようにしてもよい。
（１）１枚以上の記録媒体毎にシフト処理を行う。例えば、１枚出力する毎にシフト処理をしてもよいし、複数枚出力する毎にシフト処理をしてもよい。
（２）１以上の画像出力命令（いわゆるプリントアウト指示）毎にシフト処理を行う。例えば、出力命令がある毎にシフト処理をしてもよいし、複数回の出力命令毎にシフト処理をしてもよい。
（３）画像出力命令における画像枚数が予め定められた枚数と比較した結果に基づいて、シフト処理を行うようにしてもよい。ここで、画像枚数とは、同じ画像に対しての出力枚数であってもよい。画像出力命令における出力すべき画像枚数が、閾値（予め定められた枚数）より多い又は以上である場合に、その閾値の出力枚数毎にシフト処理を行うようにしてもよい。
【００２４】
シフト量については、予め定められたシフト量としてもよい。また、シフト処理モジュール１３０は、前回の出力における画像記録ヘッド内のノズル毎の使用回数に基づいてシフト量を定めるようにしてもよい。具体的には、前述の図４（ｃ）の例のように、ノズル毎に出力回数をカウントし、出力回数の少ないノズルの位置が出力回数の多いノズルの位置にくるようにシフト量を定めてもよいし、逆に、出力回数の多いノズルの位置が出力回数の少ないノズルの位置にくるようにシフト量を定めてもよい。
【００２５】
マスク適用処理モジュール１４０は、画像受付モジュール１１０、シフト処理モジュール１３０、画像出力モジュール１５０と接続されている。マスク適用処理モジュール１４０は、画像受付モジュール１１０によって受け付けられた画像に対して、シフト処理モジュール１３０によってシフトされたスクリーンマスクを適用させる。つまり、シフトされたスクリーンマスクを用いて、前述したスクリーン処理を行う。
【００２６】
画像出力モジュール１５０は、マスク適用処理モジュール１４０と接続されている。画像出力モジュール１５０は、マスク適用処理モジュール１４０によってスクリーンマスクを適用させた画像（スクリーン処理後の画像）を、固定された画像記録ヘッドを用いて、搬送される記録媒体に出力する。前述した図２の例のように、画像記録ヘッド２１０を用いて用紙２００に印刷する。
【００２７】
図５は、本実施の形態（シフト処理モジュール１３０）による処理例を示す説明図である。シフトするタイミングは画像毎とする。
図５（ａ）の例は、画像データ５００ａに対してスクリーンマスクを適用していることを示すものである。画像データ５００ａに対して、同じスクリーンマスクを順次（スクリーンマスク５１０ａ、５１２ａ、５１４ａ）適用している。次の画像データ５００ｂに対しては、同じスクリーンマスクであるが、右方向のシフト方向５２０にシフトしたスクリーンマスクを順次（スクリーンマスク５１０ｂ、５１２ｂ、５１４ｂ）適用している。同様に、次の画像データ５００ｃに対しては、同じスクリーンマスクであるが、右方向のシフト方向５２０にさらにシフトしたスクリーンマスクを順次（スクリーンマスク５１０ｃ、５１２ｃ、５１４ｃ）適用している。そして、累計のシフト量がマトリクスサイズ（横方向のサイズ）に達したならば、シフト量を０に戻す。なお、図では省略した部分、例えば図５（ｂ）のスクリーンマスク５１０ｂの左側の部分は、スクリーンマスクの右側部分を適用させればよい。
【００２８】
図６は、本実施の形態（シフト処理モジュール１３０）による処理例を示す説明図である。シフトするタイミングは画像毎とする。
図６（ａ）の例は、画像データ６００ａに対してスクリーンマスクを適用していることを示すものである。画像データ６００ａに対して、同じスクリーンマスクを順次（スクリーンマスク６１０ａ、６１２ａ、６１４ａ）適用している。次の画像データ６００ｂに対しては、同じスクリーンマスクであるが、右下方向のシフト方向６２０にシフトしたスクリーンマスクを順次（スクリーンマスク６１０ｂ、６１２ｂ、６１４ｂ）適用している。同様に、次の画像データ６００ｃに対しては、同じスクリーンマスクであるが、右方向のシフト方向６２０にさらにシフトしたスクリーンマスクを順次（スクリーンマスク６１０ｃ、６１２ｃ、６１４ｃ）適用している。そして、累計のシフト量がマトリクスサイズ（横方向のサイズ）に達したならば、シフト量を０に戻す。なお、図では省略した部分、例えば図６（ｂ）のスクリーンマスク６１０ｂの上側の部分は、スクリーンマスクの下側部分を適用させればよいし、スクリーンマスク６１０ｂの左側の部分は、スクリーンマスクの右側部分を適用させればよい。
【００２９】
図７は、本実施の形態による処理例を示すフローチャートである。
ステップＳ７００では、スクリーンマスク処理を開始する。
ステップＳ７０２では、シフト処理モジュール１３０が、処理モードを判断し、処理ＯＦＦの場合はステップＳ７０４へ進み、ノズル劣化防止重視モードである場合はステップＳ７０６へ進み、画質一致重視モードである場合はステップＳ７０８へ進む。なお、処理モードは、操作者（画像出力命令を行った者等）の操作によって選択されてもよいし、予め定められた処理モードであってもよい。また、画像受付モジュール１１０が受け付けた画像内における中間調画像の面積割合によって処理モードを選択してもよい。例えば、中間調画像の面積割合が予め定められた閾値より多い又は以上である場合は、画質一致重視モードを選択し、それ以外の場合はノズル劣化防止重視モードを選択してもよい。また、画像受付モジュール１１０が受け付けた画像内における細線の長さによって処理モードを選択してもよい。例えば、画像内に含まれている細線の長さが予め定められた閾値より長い又は以上である場合は、画質一致重視モードを選択し、それ以外の場合はノズル劣化防止重視モードを選択してもよい。なお、中間調画像、細線の判定については、既存の画像処理技術を用いればよい。
【００３０】
ノズル劣化防止重視モードとは、各ノズルからの出力回数が偏らないようにシフトを頻繁に行うようにしたものである。画質一致重視モードとは、ノズル劣化防止を行った上で、シフト回数をノズル劣化防止重視モードよりも減らすようにしたものである。つまり、スクリーンマトリクスをシフトした際に色再現にはほとんど影響はないが、細線など面積が小さい画像については画像とスクリーンマトリクスの位置関係によって点灯画素が変化し、見た目に影響を及ぼす可能性がある。そのため、シフト回数を減らしている。例えば、画像出力命令毎にシフトするということは、１つの画像出力命令内ではシフト処理を行わないということであり、その１回の画像出力命令による出力は同質の画質を保持することになる。
【００３１】
ステップＳ７０４では、シフト処理モジュール１３０では、スクリーンマスクのシフト処理を行わない。
ステップＳ７０６では、シフト処理モジュール１３０が、スクリーンマスクを画像１（Ｎ）枚毎に１（Ｎ）画素ずつシフトする。
ステップＳ７０８では、シフト処理モジュール１３０が、１ジョブの枚数が予め定められた閾値Ｎ以上であるか否かを判断し、Ｎ未満である場合はステップＳ７１０へ進み、Ｎ以上である場合はステップＳ７１２へ進む。
ステップＳ７１０では、シフト処理モジュール１３０が、スクリーンマスクを１（Ｎ）ジョブ（画像出力命令）毎に１（Ｎ）画素ずつシフトする。
ステップＳ７１２では、シフト処理モジュール１３０が、スクリーンマスクを画像Ｎ枚毎に１（Ｎ）画素ずつシフトする。
ステップＳ７１４では、マスク適用処理モジュール１４０が、ハーフトーン（スクリーン）処理を行う。
そして、スクリーンマスク処理を終了する（ステップＳ７９９）。
【００３２】
図８を参照して、本実施の形態の画像処理装置のハードウェア構成例について説明する。図８に示す構成は、例えばパーソナルコンピュータ（ＰＣ）などによって構成されるものであり、スキャナ等のデータ読み取り部８１７と、プリンタなどのデータ出力部８１８を備えたハードウェア構成例を示している。
【００３３】
ＣＰＵ（Ｃｅｎｔｒａｌ  Ｐｒｏｃｅｓｓｉｎｇ  Ｕｎｉｔ）８０１は、前述の実施の形態において説明した各種のモジュール、すなわち、画像受付モジュール１１０、シフト処理モジュール１３０、マスク適用処理モジュール１４０、画像出力モジュール１５０等の各モジュールの実行シーケンスを記述したコンピュータ・プログラムにしたがった処理を実行する制御部である。
【００３４】
ＲＯＭ（Ｒｅａｄ  Ｏｎｌｙ  Ｍｅｍｏｒｙ）８０２は、ＣＰＵ８０１が使用するプログラムや演算パラメータ等を格納する。ＲＡＭ（Ｒａｎｄｏｍ  Ａｃｃｅｓｓ  Ｍｅｍｏｒｙ）８０３は、ＣＰＵ８０１の実行において使用するプログラムや、その実行において適宜変化するパラメータ等を格納する。これらはＣＰＵバスなどから構成されるホストバス８０４により相互に接続されている。
【００３５】
ホストバス８０４は、ブリッジ８０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス８０６に接続されている。
【００３６】
キーボード８０８、マウス等のポインティングデバイス８０９は、操作者により操作される入力デバイスである。ディスプレイ８１０は、液晶表示装置又はＣＲＴ（Ｃａｔｈｏｄｅ  Ｒａｙ  Ｔｕｂｅ）などがあり、各種情報をテキストやイメージ情報として表示する。
【００３７】
ＨＤＤ（Ｈａｒｄ  Ｄｉｓｋ  Ｄｒｉｖｅ）８１１は、ハードディスクを内蔵し、ハードディスクを駆動し、ＣＰＵ８０１によって実行するプログラムや情報を記録又は再生させる。ハードディスクには、受け付けた画像、基本スクリーンマスクなどが格納される。さらに、その他の各種のデータ処理プログラム等、各種コンピュータ・プログラムが格納される。
【００３８】
ドライブ８１２は、装着されている磁気ディスク、光ディスク、光磁気ディスク、又は半導体メモリ等のリムーバブル記録媒体８１３に記録されているデータ又はプログラムを読み出して、そのデータ又はプログラムを、インタフェース８０７、外部バス８０６、ブリッジ８０５、及びホストバス８０４を介して接続されているＲＡＭ８０３に供給する。リムーバブル記録媒体８１３も、ハードディスクと同様のデータ記録領域として利用可能である。
【００３９】
接続ポート８１４は、外部接続機器８１５を接続するポートであり、ＵＳＢ、ＩＥＥＥ１３９４等の接続部を持つ。接続ポート８１４は、インタフェース８０７、及び外部バス８０６、ブリッジ８０５、ホストバス８０４等を介してＣＰＵ８０１等に接続されている。通信部８１６は、通信回線に接続され、外部とのデータ通信処理を実行する。データ読み取り部８１７は、例えばスキャナであり、ドキュメントの読み取り処理を実行する。データ出力部８１８は、前述の固定された画像記録ヘッドを備えた例えばプリンタであり、ドキュメントデータの出力処理を実行する。
【００４０】
なお、図８に示す画像処理装置のハードウェア構成は、１つの構成例を示すものであり、本実施の形態は、図８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図８に示すシステムが複数互いに通信回線によって接続されていて互いに協調動作するようにしてもよい。また、複写機、ファックス、プリンタ、複合機（スキャナ、プリンタ、複写機、ファックス等のいずれか２つ以上の機能を有している画像処理装置）などに組み込まれていてもよい。
【００４１】
また、前述の実施の形態の説明において、予め定められた値との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００４２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００４３】
１１０…画像受付モジュール
１２０…スクリーンマスク記憶モジュール
１３０…シフト処理モジュール
１４０…マスク適用処理モジュール
１５０…画像出力モジュール
【図１】
2014093702.tif 000003
【図２】
2014093702.tif 000004
【図３】
2014093702.tif 000005
【図４】
2014093702.tif 000006
【図５】
2014093702.tif 000007
【図６】
2014093702.tif 000008
【図７】
2014093702.tif 000009
【図８】
2014093702.tif 000010